(57)【特許請求の範囲】
【請求項１】
聴覚保護のための装置であって、
ユーザーの耳にフィットするように構成されたキャビティーをそれぞれが画定している、２つのイアーカップと、
入力信号を受け取り、出力信号を生成するように構成されているプロセッサと、
前記２つのイアーカップのうちの少なくとも１つの中に配設されているスピーカであって、前記プロセッサからの前記出力を送出するように構成されているスピーカと、を含み、
前記２つのイアーカップのうちの一方は、１つ以上のバッテリー又はバッテリーパックを収納するように構成されているバッテリーコンパートメントを含み、前記バッテリーコンパートメントは、
前記１つ以上のバッテリー又はバッテリーパックのうちの１つのプラス端子に電気的接触をするように構成されている第１のプラス接点と、
前記１つ以上のバッテリー又はバッテリーパックのうちの１つのマイナス端子に電気的接触をするように構成されている第２のマイナス接点と、
前記１つ以上のバッテリー又はバッテリーパックのうちの１つから選択される再充電可能なバッテリーパックの充電を容易にするように構成されている第３の接点と、を更に含み、
前記バッテリーコンパートメントは、単一の再充電可能なバッテリーパック又は２つの標準的な円筒形バッテリー形状のいずれかを収容するように構成されている開放型のバッテリー受け入れスペースを画定しており、
前記装置は、充電ポートを更に含み、前記充電ポートは、前記再充電可能なバッテリーパックを再充電するためのケーブルを受け入れるように構成されている、装置。
【請求項２】
前記装置は、前記第３の接点に接触している再充電可能なバッテリーパックの接点が存在しない場合には、前記１つ以上のバッテリー又はバッテリーパックへの充電を防止するように構成されており、
前記１つ以上のバッテリー又はバッテリーパックへの充電は、前記第３の接点及び前記第１のプラス接点を含み前記第２のマイナス接点を除外する回路、又は、前記第３の接点及び前記第２のマイナス接点を含み前記第１のプラス接点を除外する回路、のいずれかを通して行われる、請求項１に記載の装置。
【請求項３】
前記装置は、前記第３の接点に接触している再充電可能なバッテリーパックの接点が存在しない場合には、前記１つ以上のバッテリー又はバッテリーパックへの充電を防止するように構成されており、
前記１つ以上のバッテリー又はバッテリーパックへの充電は、前記第１のプラス接点及び前記第２のマイナス接点を含む回路を通して行われる、請求項１に記載の装置。
【請求項４】
前記バッテリー受け入れスペースは、
第１の領域であって、少なくともその一部分が前記第１のプラス接点に隣接する第１の領域と、
第２の領域であって、少なくともその一部分が前記第２のマイナス接点に隣接する第２の領域と、
前記第１の領域及び前記第２の領域の両方に少なくとも部分的に重なっている、第３の領域とを含み、
前記第１の領域、前記第２の領域、及び前記第３の領域は、共同で、単一の再充電可能なバッテリーパック、又は２つの標準的な円筒形バッテリー形状のいずれかを収容するように構成されている、請求項１に記載の装置。
【発明の詳細な説明】
【背景技術】
【０００１】
人々は、うるさい環境や騒がしい環境にいるときに、聴覚保護体を着用することが多い。聴覚保護体は、ユーザーの耳がさらされる雑音の量を低減させることができる。場合によっては、ユーザーは、いくつかの雑音、たとえば、周囲の人々からの会話や命令、音楽、他のエンターテインメント、又は他の通信（たとえば、入力サウンド供給源を通して送達されるＡＭ／ＦＭラジオ伝送、Ｂｌｕｅｔｏｏｔｈ伝送、若しくは、他のトランシーバーからの通信）などを聴きたいことがある。ユーザーが聴覚保護体を着用している場合には、これらの望ましい雑音を聴くことは、困難であるか、又は、不可能であり得る。したがって、うるさい雑音又は望ましくない雑音を依然として低減させながら、聴覚保護のユーザーが依然としていくつかの外部雑音を聴けるようにする必要性が存在している。
【０００２】
聴覚保護具は、装置を動作させるための電力を必要とすることが多い。これらの製品に電力を供給するためにバッテリーが使用されることが多い。聴覚保護製品のユーザーは、同じ装置の中で異なるバッテリータイプを使用できれば便利と感じ得る。しかし、標準的な円筒形状のバッテリーと比較して、再充電可能なバッテリーの異なるフォームファクターのために、装置の外見及び／又はサイズを変化させる修正を加えずに、単一の装置がどちらのタイプのバッテリーでも電力供給されるようにすることは困難であることが多い。また、安全上の理由のために、再充電可能なバッテリーを使用できる製品は、再充電不可能なバッテリー又は間違ったタイプの再充電可能なバッテリーが装置の中で使用されている場合には、充電が行われることを防止する手段を有することが望まれる。
【発明の概要】
【０００３】
聴覚保護ヘッドセットの外部にあるサウンドが、ヘッドセットの上の１つ以上のマイクロホンによって入力され得る。周辺外部サウンド又は背景雑音は、ヘッドセットのユーザーがヒトの声をより良好に聴くことができるように、監視、分析、及びフィルタリングされ得る。
【０００４】
１つの例では、聴覚保護のための装置は、装置の上に配設されているサウンド入力源、たとえばマイクロホンを含む。サウンド入力源は、環境から入力音波を拾い、入力音波を入力信号に変換するように構成されている。また、装置は、プロセッサを含み、プロセッサは、入力信号を受け取り、出力信号を生成するように構成されている。装置は、装置の上に配設されたスピーカを更に含むことが可能である。スピーカは、プロセッサからの出力を送出するように構成されている。
【０００５】
１つの例では、聴覚保護のための装置は、マイクロホンを含み、マイクロホンは、装置の上に配設されており、環境から入力音波を拾い、入力音波を入力信号に変換するように構成されている。また、装置は、プロセッサを含み、プロセッサは、入力信号を受け取り、出力信号を生成するように構成されている。また、装置は、装置の上に配設されているスピーカを含み、スピーカは、プロセッサから出力を送出するように構成されている。また、装置は、バッテリーコンパートメントを含み、バッテリーコンパートメントは、３つの接点を含み、３つの接点は、バッテリー又はバッテリーパックのプラス端子と電気的接触をするように構成されている第１のプラス接点、バッテリー又はバッテリーパックのマイナス端子と電気的接触をするように構成されている第２のマイナス接点、及び、再充電可能なバッテリーパックの充電を容易にするように構成されている第３の接点である。聴覚保護デバイス装置は、第３の接点と接触している再充電可能なバッテリーパックの接点が存在していない場合には、再充電を防止するように構成され得る。ある実施形態では、聴覚保護装置は、２つの標準的な円筒形状のバッテリーだけによって電力を供給され得、又は、聴覚保護デバイスは、再充電可能なバッテリーパックだけによって電力を供給され得る。
【０００６】
本開示の１つの実施形態は、聴覚保護のための装置であって、装置は、ユーザーの耳にフィットするように構成されたキャビティーをそれぞれが画定している、２つのイアーカップと、入力信号を受け取り、出力信号を生成するように構成されているプロセッサと、２つのイアーカップのうちの少なくとも１つの中に配設されているスピーカであって、プロセッサからの出力を送出するように構成されているスピーカと、を含み、２つのイアーカップのうちの一方は、１つ以上のバッテリー又はバッテリーパックを収納するように構成されているバッテリーコンパートメントを含み、バッテリーコンパートメントは、
１つ以上のバッテリー又はバッテリーパックのうちの１つのプラス端子に電気的接触をするように構成されている第１のプラス接点と、
１つ以上のバッテリー又はバッテリーパックのうちの１つのマイナス端子に電気的接触をするように構成されている第２のマイナス接点と、
１つ以上のバッテリー又はバッテリーパックのうちの１つから選択される再充電可能なバッテリーパックの充電を容易にするように構成されている第３の接点と、を更に含み、
バッテリーコンパートメントは、単一の再充電可能なバッテリーパック又は２つの標準的な円筒形バッテリー形状のいずれかを収容するように構成されている開放型のバッテリー受け入れスペースを画定しており、装置は、充電ポートを更に含み、充電ポートは、再充電可能なバッテリーパックを再充電するためのケーブルを受け入れるように構成されている、装置である。ある実施形態では、装置は、第３の接点に接触している再充電可能なバッテリーパックの接点が存在しない場合には、１つ以上のバッテリー又はバッテリーパックへの充電を防止するように構成されている。
【図面の簡単な説明】
【０００７】
本開示は、以下の図面に関連してより完全に理解され得る。
【図１】実施形態によるヘッドセットの斜視図である。
【図２】実施形態によるヘッドセットの斜視図である。
【図３】実施形態による、特定のヘッドセットコンポーネントの概略図である。
【図４】実施形態による、再充電可能なバッテリーパックを備えたヘッドセット実施形態の斜視図である。
【図５】実施形態による、２つの標準的なバッテリーを備えたヘッドセットの斜視図である。
【図６】実施形態による、ヘッドセットの空のバッテリーコンパートメントの斜視図である。
【図７】実施形態による、再充電可能なバッテリーパック及び聴覚保護具の特定のエレメントの概略図である。
【図８】実施形態による、図７の再充電可能なバッテリーパックの斜視切り欠き図である。
【図９ａ】実施形態による、再充電可能なバッテリーパックの斜視図である。
【図９ｂ】実施形態による、再充電可能なバッテリーパックの斜視図である。  本開示にはさまざまな修正形態及び代替形態が可能であるが、その具体事項が、例として図面によって示されており、以下で詳細に説明される。しかし、本開示は記載される特定の実施形態に限定されないことが理解されるべきである。それとは反対に、本開示の趣旨及び範囲の中に入る修正例、均等物、及び代替例をカバーすることを意図している。
【発明を実施するための形態】
【０００８】
本明細書で説明されている本開示の実施形態は、包括的であることを意図しておらず、又は、以下の詳細な説明に開示されている正確な形態に本開示を限定することを意図していない。むしろ、この実施形態は、当業者が本開示の原理及び実践を認識及び理解することができるように、選択及び説明されている。
【０００９】
本明細書で述べられているすべての公開公報及び特許は、参照により本明細書に組み込まれている。本明細書で開示されている公開公報及び特許は、それらの開示のためだけに提供される。本明細書の中のものは、本明細書で引用されている任意の公開公報及び／又は特許を含む、任意の公開公報及び／又は特許に先行する権利を発明者が有しないということを認めるものとして解釈されるべきではない。
【００１０】
図１は、ヘッドセット１００の斜視図である。ある実施形態では、ヘッドセット１００は、イアーカップ１０２及びヘッドバンド１０４を含むことが可能である。ヘッドセット１００は、２つのイアーカップ１０２を含むことが可能である。ヘッドバンド１０４は、第１のイアーカップ１０２を第２のイアーカップ１０２に連結することが可能である。ヘッドバンド１０４は、アーチを形成しており、たとえば、ヘッドセット１００が使用されている間に、ユーザーの頭頂部の上を延びることなどが可能である。ヘッドバンド１０４は、可撓性であることが可能であり、たとえば、ユーザーがヘッドセット１００を身に着けるときに、ユーザーが第２のイアーカップ１０２から第１のイアーカップ１０２を広げることなどを可能にする。ヘッドバンド１０４は、たとえば、ユーザーの頭部に少なくとも部分的に適合させてユーザーの快適性を向上させるために、パッディングを含むことが可能である。
【００１１】
イアーカップ１０２は、ユーザーの耳の周りに少なくとも部分的にフィットするように構成され得、使用されている間にユーザーの頭部の側部に配設され得る。イアーカップ１０２は、キャビティーを画定することが可能である。キャビティーは、ユーザーがヘッドセット１００を着用している間に、ユーザーの耳、すなわち、ヒトの耳がキャビティーの中にフィットするように構成され得る。イアーカップ１０２は、シールリング１０６を含むことが可能である。シールリング１０６は、たとえば、ユーザーの耳の周りに延びるように、リング形状になっていることが可能である。シールリング１０６は、可撓性であることが可能であり、ユーザーの頭部に適合することが可能である。シールリング１０６は、イアーカップ１０２とユーザーの頭部との間にシールを提供し、たとえば、ユーザーの耳に到達する雑音又は音波の量を低減させ、それによって、ユーザーの耳を外部雑音から少なくとも部分的に保護することなどが可能である。シールリング１０６は、皮革、布、ゴム、プラスチック、又はポリマー、たとえば、ポリウレタンなどを含むことが可能である。
【００１２】
ヘッドセット１００は、サウンド入力源１０８を含むことが可能である。１つの実施形態では、イアーカップ１０２の一方又は両方が、サウンド入力源１０８を含むことが可能である。ある実施形態では、サウンド入力源１０８は、マイクロホンを含むことが可能である。ある実施形態では、２つのイアーカップ１０２のそれぞれの上に１つのマイクロホン１０８が存在している。ある実施形態では、イアーカップ１０２の一方又は両方の上に２つ以上のマイクロホン１０８が存在することが可能である。１つの実施形態では、１つ以上のマイクロホン１０８が、ヘッドセット１００の他の場所に位置付けされている。マイクロホン１０８は、キャビティーの反対側のイアーカップ１０２の外側表面の上に配設され得る。マイクロホン１０８は、周囲の環境からサウンド及び雑音を拾うことが可能である。マイクロホン１０８は、埋め込まれ得、マイクロホン１０８がイアーカップ１０２の外面を越えて延びないようにする。２つのイアーカップ１０２を備えた実施形態では、それぞれのイアーカップ１０２が、マイクロホン１０８を含むことが可能である。２つのイアーカップ１０２を備えた別の実施形態では、一方のイアーカップ１０２だけが、マイクロホン１０８を含む。２つのイアーカップ１０２を備えた別の実施形態では、１つのマイクロホン１０８が、ヘッドバンド部分の上に位置決めされている。マイクロホン１０８によって拾われた雑音及びサウンドは、イアーカップ１０２のキャビティーの中のスピーカを通して、ユーザーに伝えられ得る。
【００１３】
イアーカップ１０２のうちの一方は、ノブ１１０を含むことが可能である。ユーザーは、ノブ１１０を回転させてヘッドセット１００の電子機器を制御し、たとえば、電子機器を「ＯＮ」又は「ＯＦＦ」にすること、又は、イアーカップ１０２の中のスピーカのボリュームを上げる若しくは下げることが可能である。
【００１４】
イアーカップ１０２は、入力接続部１１２を含むことが可能である。入力接続部１１２は、ＡＭ／ＦＭラジオ、ツーウェイラジオ、ＭＰ３プレーヤー、又は携帯電話などのような外部オーディオデバイスを、ユーザーがヘッドセット１００に接続することを可能にすることができる。ユーザーは、イアーカップ１０２の中に配設されている１つ以上のスピーカを通して、外部オーディオデバイスを聴くことが可能である。ある実施形態では、入力接続部１１２は、３．５ｍｍオーディオ入力を収容することが可能である。ある実施形態では、外部オーディオデバイスは、Ｂｌｕｅｔｏｏｔｈ接続などのようなワイヤレス接続を通してヘッドセット１００に接続され得る。ある実施形態では、ヘッドセットは、Ｂｌｕｅｔｏｏｔｈレシーバーを含む。ある実施形態では、外部オーディオデバイスは、ヘッドセット１００に内蔵されているか、又は、ヘッドセット１００と一体になっていることが可能である。
【００１５】
ヘッドセット１００の斜視図が、図１に示されているものとは異なる斜視角度から、図２に示されている。イアーカップ１０２は、バッテリーコンパートメント２１４を含むことが可能である。バッテリーコンパートメント２１４は、１つ以上のバッテリー又はバッテリーパックを収納することが可能である。
【００１６】
本明細書で使用される場合、バッテリーという用語は、蓄積された化学エネルギーを電気エネルギーに変換する１つ以上の電気化学的なセルからなるデバイスを意味する。本明細書で使用される場合、バッテリーパックという用語は、単一のバッテリーを含む、任意数の好ましくは同一のバッテリーのセットを意味する。また、バッテリーパックは、温度センサー又は充電回路などのような、他のコンポーネントを含むことが可能である。また、バッテリーパックは、１つ又は複数のバッテリー及び他のコンポーネントを含有するためのハウジングを含む。
【００１７】
バッテリーは、ヘッドセット１００の電子コンポーネントに電力を供給するために使用され得る。ある実施形態では、２つの単３形バッテリーが、バッテリーコンパートメント２１４の中に配設され得る。ある実施形態では、単３形バッテリーは、アルカリ単３形バッテリー、カーボン単３形バッテリー、リチウム単３形バッテリー、ニッケル水素単３形バッテリー、又はニッケルカドミウム単３形バッテリーを含むことが可能である。ある実施形態では、再充電可能なバッテリーパックが、バッテリーコンパートメントの中に配設され得る。ある実施形態では、再充電可能なバッテリーパックは、リチウムイオンバッテリーを使用することが可能である。充電ポート２１５は、イアーカップのうちの１つ以上の上に配設され得る。ある実施形態では、充電ポートは、再充電可能なバッテリーパックを再充電するためのケーブルを受け入れるように構成され得る。ある実施形態では、充電ポートは、再充電可能なバッテリーパックがバッテリーコンパートメントの内側にある間に再充電可能なバッテリーパックが充電されることを可能にする、ヘッドセット上の場所に配設されている。ある実施形態では、充電ポートは、バッテリーコンパートメントの中ではなく、イアーカップの外部表面の上に配設されている。バッテリードア２１６は、バッテリーコンパートメント２１４を少なくとも部分的に囲むことが可能である。バッテリードア２１６は、たとえばバッテリーを交換するためなど、バッテリーへのアクセスが望まれるときに、ヘッドセット１００から取り外されるように構成され得る。ある実施形態では、コンパートメントドアは、イアーカップ１０２の隣接する外側表面の上方に突出することなく、バッテリー又はバッテリーパックをバッテリーコンパートメントの中に完全に囲むことが可能である。実施形態では、バッテリーコンパートメントが１つ以上のバッテリー又はバッテリーパックを収納し、かつ、バッテリーコンパートメントドアが閉められているときに、バッテリーコンパートメントドアは、イアーカップの隣接する外側表面の上方に５ミリメートル以下突出する。バッテリーコンパートメントドアは、ヒンジを含むことが可能である。ある実施形態では、バッテリードア２１６は、バッテリー又はバッテリーパックから分離したエレメントである。ある実施形態では、バッテリードアは、ヘッドセット１００の残りの部分から分離したエレメントである。
【００１８】
それぞれのイアーカップ１０２は、図３に示されているスピーカ２１８を含むことが可能である。スピーカ２１８は、音波などのような出力を送出することが可能である。サウンド入力１０８から入って来るサウンド及び雑音は、プロセッサ２２０に入力され、たとえば、雑音の少なくともいくらかを除去するために処理され、スピーカ２１８を通して出力を送出することが可能である。本明細書で使用される場合、サウンドという用語は、望ましい聴覚情報を指し、一方、雑音という用語は、望ましくない聴覚情報を指す。スピーカ２１８は、望ましい聴覚情報などのようなサウンドをユーザーに提供することが可能である。望ましいオーディオは、会話、命令、警報、又は他の通信、たとえば、２人の人の間の通信などを含むことが可能である。それぞれのマイクロホンからの入力は、望ましくない雑音などのような、雑音の少なくともいくらかを除去するために処理され得る。望ましくない雑音は、機械的な雑音、換気システムからの雑音、遠方の会話、衝撃雑音、擦れる音、きしむ音、エンジン雑音、射撃音、爆発音、及び、他の同様の雑音を含むことが可能である。
【００１９】
ヘッドセット１００は、デジタル電子コンポーネント、アナログ電子コンポーネント、又は、両方のタイプの混合を含むことが可能である。
【００２０】
スピーカ２１８は、周囲の環境からサウンド入力１０８によって拾われたサウンドを伝えることが可能である。スピーカ２１８は、入力接続部１１２から接続されている外部オーディオデバイスからのサウンドを伝えることが可能である。スピーカ２１８からの出力は、たとえば、ユーザーの耳を保護するために、最大出力レベルに制限され得る。異なる実施形態では、マイクロホンからのサウンドに起因するスピーカ２１８からの最大出力レベルは、少なくとも８０ｄＢ（Ａ）、９０ｄＢ（Ａ）以下、少なくとも７０ｄＢ（Ａ）、１００ｄＢ（Ａ）以下、及び、これらの制約の組み合わせであることが可能である。ある実施形態では、スピーカ２１８からの出力は、ユーザーがボリュームをいかに高く上げるかにかかわらず、周辺サウンドレベルが１０６ｄＢ（Ａ）未満であるときに、８２ｄＢ（Ａ）に制限されている。ある実施形態では、スピーカ２１８からの出力は、ユーザーがボリュームをいかに高く上げるかにかかわらず、周辺サウンドレベルが１０６ｄＢ（Ａ）未満であるときに、８５ｄＢ（Ａ）に制限されている。ある実施形態では、スピーカ２１８からの出力は、ユーザーがボリュームをいかに高く上げるかにかかわらず、８２ｄＢ（Ａ）に制限されている。ある実施形態では、スピーカ２１８からの出力は、ユーザーがボリュームをいかに高く上げるかにかかわらず、８５ｄＢ（Ａ）に制限されている。ある実施形態では、スピーカ２１８からの出力は、外部オーディオデバイスが入力接続部１１２に接続されているときには、８２ｄＢ（Ａ）に制限され得る。マイクロホン１０８によって拾われたサウンドは、スピーカ２１８からの出力として送出される前に処理され得る。この処理は、たとえば、背景雑音を低減させることによって、衝撃雑音を抑制することによって、又は、入力レベルを一定に維持することによって、ユーザーが聴く音の品質又は鮮明さを向上させることが可能である。２つのイアーカップ１０２のそれぞれがマイクロホン１０８を有している１つの実施形態では、入って来るサウンド及び雑音は、単一のプロセッサによって処理される。２つのイアーカップ１０２のそれぞれがマイクロホン１０８を有している別の実施形態では、入って来るサウンド及び雑音は、別々のプロセッサによって処理される。
【００２１】
本明細書で説明されている個々の特徴は、さまざまな実施形態の中に存在することが可能である。また、本明細書で説明されている個々の特徴の組み合わせが、さまざまな実施形態の中に存在することが可能である。ある実施形態では、聴覚保護装置は、バッテリーコンパートメントを含むことが可能であり、バッテリーコンパートメントは、３つの接点を含み、３つの接点は、バッテリー又はバッテリーパックのプラス端子と電気的接触をするように構成されている第１のプラス接点、バッテリー又はバッテリーパックのマイナス端子と電気的接触をするように構成されている第２のマイナス接点、及び、再充電可能なバッテリーパックの充電を容易にするように構成されている第３の接点である。聴覚保護デバイス装置は、第３の接点と接触している再充電可能なバッテリーパックの接点が存在していない場合には、再充電を防止するように構成され得る。ある実施形態では、聴覚保護装置は、２つの標準的な円筒形状のバッテリーだけによって電力を供給され得、又は、聴覚保護デバイスは、再充電可能なバッテリーパックだけによって電力を供給され得る。
【００２２】
聴覚保護装置は、１つ以上のバッテリー又はバッテリーパックを収納するように構成されているバッテリーコンパートメントを含む。ユーザーは、電源として、再充電可能なバッテリーパックだけを用いるか、又は、２つの標準的な円筒形状のバッテリーだけを用いて、装置に電力を供給するオプションを有する。バッテリーコンパートメントは、コンパートメントの中にいずれかの電源を固定するように構成されている。標準的な円筒形状のバッテリーを使用する能力は、販売店において容易に入手可能であって購入するのに安価な電力供給オプションをユーザーに提供する。また、再充電可能なバッテリーパックを使用する能力は、標準的なバッテリーが提供することができるよりも長い使用時間及び低い動作コストを含む多くの利益をもたらす。再充電可能なバッテリーパックを聴覚保護装置の中に内蔵された充電回路によって再充電できることは、外部充電器ユニットを必要としないことによってユーザーのコストを低下させる。いくつかの実施形態では、再充電可能なバッテリーパックを、同じバッテリーコンパートメントの中で標準的な円筒形状のバッテリーの代わりに使用することができ、その場合は、同じバッテリーコンパートメントドアが、標準的な円筒形状のバッテリーを覆うのと同様に、再充電可能なバッテリーパックを覆って閉じることが可能である。
【００２３】
図４及び図５は、異なるタイプのバッテリー又はバッテリーパックが装置に電力を提供するために使用される装置の実施形態を示している。図４では、再充電可能なバッテリーパック２２２が、バッテリーコンパートメント２１４の中に配設されている。再充電可能なバッテリーパックは、バッテリーコンパートメントのプラス接点２２４と接触する、そのプラス端子に対応する接点２２５を有し、再充電可能なバッテリーパックは、バッテリーコンパートメントのマイナス接点２２６と接触する、そのマイナス端子に対応する接点２２７を有している。それに加えて、再充電可能なバッテリーパックは、第３の接点２２９も含み、第３の接点２２９は、再充電可能なバッテリーパックの再充電を容易にするように構成されているバッテリーコンパートメントの第３の接点２２８に接触する。本明細書で説明されるように、第３の接点がバッテリーパックの再充電をどのように容易にすることができるかに関して多くの異なるオプションが存在する。ある実施形態では、バッテリーコンパートメントの中の第３の接点２２８は、充電ポート２１５に電気的に接続されている。また、図４は、コンパートメントドア２１６を示しており、コンパートメントドア２１６は、バッテリーコンパートメントの中に、再充電可能なバッテリーパック２２２を完全に囲むことが可能である。
【００２４】
図５は、再充電可能なバッテリーパックの代わりに装置に電力を供給するために使用される２つの単３形バッテリー２３０を備えたバッテリーコンパートメント２１４を示している。１つのバッテリーは、バッテリーコンパートメントのプラス接点２２４に接触するプラス端子に対応する１つの端部に接点２２５を有し、１つのバッテリーは、バッテリーコンパートメントのマイナス接点２２６に接触するマイナス端子に対応する１つの端部に接点２２７を有している。追加的なプラス端子２２６Ｐ及びマイナス端子２２４Ｎが、バッテリーコンパートメントの上に配設されており、それぞれのバッテリーの反対側端部に接触する。再充電可能なバッテリーパックの代わりに２つの単３形バッテリーが使用されるときには、バッテリーコンパートメントの第３の接点２２８に接触する単３形バッテリーのどちらの上にも接点は存在しない。バッテリー２３０は、第３の接点２２８に接触していないので、装置の中で再充電されることができない。
【００２５】
図６は、任意のバッテリー又はバッテリーパックがその内側にない状態の、バッテリーコンパートメント２１４の斜視図を示している。第１の接点２２４（プラス端子に電気的接触をするように構成されているプラス接点）、第２の接点２２６（マイナス端子に電気的接触をするように構成されているマイナス接点）、及び第３の接点２２８を、図に見ることができる。ある実施形態では、第３の接点２２８は、再充電可能なバッテリーパックのプラスの充電用接点に電気的接触をするように構成されている。ある実施形態では、第３の接点２２８は、再充電可能なバッテリーパックのマイナスの充電用接点に電気的接触をするように構成されている。そのような実施形態では、第３の接点は、ヘッドセットのハウジング又は装置のイアーカップの中の充電ポートに電気的に接続される。第３の接点と充電ポートとの電気的な接続は、いくつかの回路を介することが可能である。ある実施形態では、第３の接点は、充電ポートに電気的に接続されており、充電ポートは、ヘッドセット上のいずれかの場所に位置付けされており、再充電可能なバッテリーパックの充電は、第３の接点２２８と、第１のプラス接点２２４か又は第２のマイナス接点２２６のいずれかとを含む回路を通して行われる。ある実施形態では、１つ以上のバッテリーパックへの充電は、第３の接点及び第１のプラス接点を含み第２のマイナス接点を除外する回路、又は、第３の接点及び第２のマイナス接点を含み第１のプラス接点を除外する回路、のいずれかを通して行われる。
【００２６】
また、第３の接点２２８は、バッテリーパックの中の再充電可能なバッテリーを監視又は保護するための他のシステム又はデバイスに接続され得る。ある実施形態では、これらのシステム又はデバイスは、再充電可能なバッテリーパックの中にあることが可能である。他の実施形態では、これらのシステム又はデバイスは、ヘッドセットのハウジング、又は、装置のイアーカップの中にある。ある実施形態では、これらのシステム又はデバイスの一部分は、再充電可能なバッテリーパックの中にあり、これらのシステム又はデバイスの一部分は、ヘッドセットのハウジング、又は、デバイスのイアーカップの中にある。
【００２７】
ある実施形態では、第３の接点は、温度監視デバイスと電気的接触をするように構成されている。そのような実施形態では、装置は、バッテリーパックの温度が安全でないレベルに接近した場合には、電流が流れることを防止する、又は、警報をユーザーに発することが可能である。１つの実施形態では、バッテリーパックは、温度センサーを含み、一方、ヘッドセットは、第３の接点を介して温度センサーから入力を受け入れる温度監視回路を含む。
【００２８】
実施形態では、第３の接点２２８は、ヘッドセット及び再充電可能なバッテリーパックの中の識別デバイス又は回路に接触するように構成され得る。そのような実施形態では、識別回路は、不適正なバッテリータイプがコンパートメント内に設置されているかどうかを識別し、装置内の電流を防止するか、警報をユーザーに発するか、又はその両方を行うように構成されている。識別回路は、再充電可能なバッテリーパックの第３の接点への電気的な接続に基づいて、電流を防止するか又は許容することが可能である。代替的に、又は、それに加えて、識別デバイスは、再充電可能なバッテリーパックの第３の接点への機械的な接続に基づいて、電流を防止するか又は許容することが可能である。代替的な実施形態では、たとえば、第３の接点への機械的な接続が、正しい再充電可能なバッテリーがコンパートメントの中にあるという指示を提供する場合には、識別デバイスは、全体がヘッドセットの中に位置付けされ得る。
【００２９】
また、第３の接点２２８が、識別デバイス、監視デバイス、又は、他の制御デバイスなどのような、充電回路を制御するデバイス又はシステムに電気的に接続されている状態で、充電ポート２１５は、第１のプラス接点２２４及び第２のマイナス接点２２６に電気的に接続され得る。そのような実施形態では、再充電可能なバッテリーパックが、第３の接点２２８に電気的に接続されている別個の接点も有している場合にだけ、充電が行われることが可能である。ある実施形態では、充電回路は、第１のプラス接点及び第２のマイナス接点に電気的に接続されており、第３の接点は、再充電可能なバッテリーパックの中の識別デバイスに電気的に接続されている。ある実施形態では、充電ポートは、第１のプラス接点及び第２のマイナス接点に電気的に接続されており、再充電可能なバッテリーパックの充電は、第１のプラス接点及び第２のマイナス接点を含む回路を通して行われる。ある実施形態では、充電回路は、第１のプラス接点及び第２のマイナス接点に電気的に接続されており、第３の接点は、再充電可能なバッテリーパックの中の識別デバイス又は保護デバイスに電気的に接続されており、再充電可能なバッテリーパックの充電は、第１のプラス接点及び第２のマイナス接点を含む回路を通して行われる。ある実施形態では、識別システムは、再充電可能なバッテリーパックの中に位置付けされている。他の実施形態では、識別システム又はデバイスは、ヘッドセットのハウジング又は装置のイアーカップの中に位置付けされている。ある実施形態では、識別システムの一部分は、再充電可能なバッテリーパックの中に位置付けされており、識別システムの一部分は、ヘッドセットのハウジング又はデバイスのイアーカップの中に位置付けされている。
【００３０】
バッテリーコンパートメント２１４は、開放型のバッテリー受け入れスペースを画定しており、このスペースは、第１の領域２３２であって、少なくともその一部分が第１のプラス接点２２４に隣接する第１の領域２３２と、第２の領域２３４であって、少なくともその一部分が第２のマイナス接点２２６に隣接する第２の領域２３４と、第３の領域２３６とを含み、第３の領域は、第１の領域及び第２の領域の両方と少なくとも部分的に重なっており、第１の領域、第２の領域、及び第３の領域は、共同で、単一の再充電可能なバッテリーパック、又は２つの標準的な円筒形バッテリー形状のいずれかを収容するように構成されている。ある実施形態では、第３の領域は、標準的な円筒形バッテリー形状の直径の２倍よりも幅が広い。バッテリーコンパートメントは、異なるバッテリー又はバッテリーパックのフォームファクターを収容することが可能である。第１の領域２３２及び第２の領域２３４は、湾曲した表面を含むバッテリーコンパートメントの一部分によって画定されている円筒形状の領域であり、湾曲した表面は、１つ以上のバッテリー又は再充電可能なバッテリーパックの少なくとも一部分をバッテリーコンパートメントに固定するようにすることが可能である。湾曲した表面は、標準的な円筒形状のバッテリーの外面に適合する円筒形状の一部分を含むことが可能である。ある実施形態では、バッテリーコンパートメント表面は、バッテリーコンパートメントのプラス接点及びマイナス接点に隣接して、１つ以上の湾曲した表面を画定することが可能であり、それは、バッテリー又はバッテリーパックをコンパートメントに固定するように構成されている。バッテリーコンパートメントは、少なくとも第１の湾曲した表面及び第２の湾曲した表面を有する底部表面を含むことが可能であり、第１の湾曲した表面は、バッテリーコンパートメントの第１のプラス接点に隣接しており、第２の湾曲した表面は、バッテリーコンパートメントの第２のマイナス接点に隣接している。実施形態では、バッテリーコンパートメントの底部表面は、第１及び第２の領域の少なくとも一部分の境界を定める１つ以上の湾曲した表面を含むことが可能である。
【００３１】
ある実施形態では、バッテリーコンパートメントの底部表面の上の湾曲した表面２３９は、バッテリーコンパートメントの底部表面の上に配設されている隣接する平坦なセクション２４０の下方に延びることが可能である。平坦なセクション２４０の幅は、円筒形状のバッテリー同士の間の所望の間隔に応じて変化することが可能である。また、一方の湾曲した表面は、プラス接点２２４に隣接しており、また、他方の湾曲したセクションは、マイナス接点２２６に隣接している。湾曲した表面は、平坦なセクションの下方に０．５〜３ｍｍ延びることが可能であり、又は、平坦なセクションの下方に１〜２ｍｍ延びることが可能である。他の実施形態では、バッテリーコンパートメントの上部表面は、第１及び第２の領域の少なくとも一部分の境界を定める１つ以上の湾曲した表面を含むことが可能である。ある実施形態では、バッテリーコンパートメントの上部表面の上の湾曲した表面は、バッテリーコンパートメントの上部表面の上に配設されている、隣接する平坦なセクションの上方に延びることが可能である。また、一方の湾曲した表面は、プラス接点に隣接しており、また、他方の湾曲した表面は、マイナス接点に隣接している。湾曲した表面は、平坦なセクションの上方に０．５〜３ｍｍ延びることが可能であり、又は、平坦なセクションの上方に１〜２ｍｍ延びることが可能である。ある実施形態では、再充電可能なバッテリーパックの厚さは、標準的な円筒形バッテリー形状の直径よりも小さくなっている。いくつかの実施形態では、湾曲した表面が存在しているが、他の実施形態は、バッテリーコンパートメントの中に湾曲した表面を含まない。
【００３２】
再充電可能なバッテリーパックは、保護監視回路（ＰＭＣ）を含むことが可能であり、保護監視回路（ＰＭＣ）は、過充電、過放電、過電流、及び負荷短絡を含む、使用中に起こり得るさまざまな条件から再充電可能なバッテリーを保護する。ある実施形態では、再充電可能なバッテリーパックの中の保護監視回路は、バッテリーコンパートメントの中の第３の接点２２８に電気的接触をしている。ある実施形態では、保護監視回路は、再充電可能なバッテリーパックの第３の接点２２９に電気的接触をするように構成されている。ＰＭＣは、本明細書で説明されている識別回路及び温度監視回路の態様を含むことが可能である。
【００３３】
図７は、保護監視回路を使用する再充電可能なバッテリーパック及びヘッドセットに関する概略設計のエレメントを示している。再充電可能なバッテリーパック２２２は、リチウムイオンセル２４５を含み、リチウムイオンセル２４５は、接点２２４に接続されているプラス端子２２５、及び、接点２２６に接続されているマイナス端子２２７を有している。また、再充電可能なバッテリーパックは、第３の接点２２９を含む。再充電可能なバッテリーがバッテリーコンパートメント２１４の中に位置決めされているときに、再充電可能なバッテリーパック２２２の第１の接点２２５、第２の接点２２７、及び第３の接点２２９は、バッテリーコンパートメント２１４の第１の接点２２４、第２の接点２２６、及び第３の接点２２６に接触している。バッテリーコンパートメント２１４は、イアーカップ１０２のうちの１つの中に位置付けされており、そのイアーカップ１０２は、ヘッドバンドケーブルによって他方のイアーカップ１０２に電気的に接続されている。ある実施形態では、再充電可能なバッテリーパック２２２は、充電器回路２５４及び保護監視回路２５０を含む。図７の実施形態では、バッテリーコンパートメントの第３の接点２２８は、ヘッドセットケーブルによって反対側のイアーカップ１０２の中の充電ポート２１５に電気的に接続されている。ヒューズ２５１、２５２、及び２５３、並びにダイオード２５５を含む追加的なエレメントが、ＰＭＣ２５０及び充電器回路２５４と連携して働くように含まれ、保護機能及び再充電機能を再充電可能なバッテリー及びヘッドセットに提供することが可能である。
【００３４】
再充電可能なバッテリーパックの実施形態の斜視切り欠き図が、図８に示されている。図８では、再充電可能なバッテリーパック２２２は、バッテリーパックの充電機能及び保護機能を制御するように構成されている回路を含有するリチウムイオンセル２６０及びプリント回路基板２７０を含むことが可能である。また、プリント回路基板２７０の上の回路は、同様に、温度監視機能及び識別機能を制御するように構成され得る。バッテリーパックは、上部表面２８０及び底部表面２９０を含む。図８では、リチウムイオンバッテリーは、バッテリーパックの上部部分に向けて位置決めされている。他の実施形態では、リチウムイオンバッテリーは、図８の斜視図から、バッテリーパックの底部部分に向けて位置決めされ得る。図８では、再充電可能なバッテリーパックは、バッテリーコンパートメントのプラス接点に接触する、そのプラス端子に対応する接点２２５を有しており、再充電可能なバッテリーパックは、バッテリーコンパートメントのマイナス接点に接触する、そのマイナス端子に対応する接点２２７を有している。それに加えて、再充電可能なバッテリーパックは、第３の接点２２９も含み、第３の接点２２９は、再充電可能なバッテリーパックの再充電を容易にするように構成されているバッテリーコンパートメントの第３の接点に接触する。第３の接点は、プラス端子及びマイナス端子に対応する接点と同じ、再充電可能なバッテリーパックの表面の上に配設され得、又は、第３の接点は、プラス端子及びマイナス端子に対応する接点が配設されている表面から延びる表面の上に配設され得る。実施形態では、第３の接点は、プラス端子及びマイナス端子に対応する接点から凹ませることもできる。
【００３５】
再充電可能なバッテリーパックの形状に関する追加的な特徴が、図９ａ及び図９ｂに示されている。再充電可能なバッテリーパックの形状特徴は、再充電可能なバッテリーパックをバッテリーコンパートメントの内側に固定するために使用され得る。
【００３６】
再充電可能なバッテリーパックの斜視図が、図９ａに示されている。再充電可能なバッテリーパックは、上部表面２８０、底部表面２９０、湾曲した部分２９１及び２９２、並びに、側部３００を含む。上部表面２８０は、底部表面２９０よりも幅が広くなっており、側部３００は、この実施形態では、バッテリーパックの上部部分に向けて位置決めされている再充電可能なバッテリーを収容するために、湾曲した部分２９１及び２９２を通過して延びている。バッテリーコンパートメントの中に設置されるときに、湾曲した部分２９１及び２９２は、バッテリーコンパートメントの第１及び第２の領域の中のバッテリーコンパートメントに対して固定され、再充電可能なバッテリーパックが、再充電及び使用中に、適切な場所に留まるようになっている。また、底部表面２９０の少なくとも一部分が、バッテリーコンパートメントに対して固定される。上部表面２８０及び側部３００の一部分は、第３の領域の中のバッテリーコンパートメントに対して固定される。また、図９ｂは、拡張部３１０及び３２０を示している。ある実施形態では、拡張部３１０及び３２０は、再充電可能なバッテリーパックの１つ以上の部分をバッテリーコンパートメントに対して固定するように構成されている。拡張部は、再充電可能なバッテリーパックの任意の側部又は表面の上に含まれ、再充電可能なバッテリーパックをバッテリーコンパートメントに対して固定するようにすることが可能である。バッテリーパックの中の再充電可能なバッテリーの長さ寸法、幅寸法、及び高さ寸法が、標準的な円筒形状のバッテリーの長さ寸法、幅寸法、及び高さ寸法とは異なっているときに、そのような拡張部が有用であり得る。ある実施形態では、拡張部は、バッテリーパックの側部３００から突出し、再充電可能なバッテリーパックの１つ以上の部分をバッテリーコンパートメントに対して固定する。他の実施形態では、拡張部は、再充電可能なバッテリーパックの上部表面、底部表面、又は側部表面のうちの１つ以上から突出することが可能である。
【００３７】
ある実施形態では、第３の接点２２９の少なくとも一部分は、拡張部３１０の少なくとも一部分の上に配設され得る。拡張部３１０は、再充電可能なバッテリーパックの表面又は側部から０．５〜３ｍｍ延びることが可能であり、より好ましくは、１〜２ｍｍ延びることが可能である。
【００３８】
装置は、種々のバッテリー又はバッテリーパックを電源として使用することが可能である。標準的な円筒形バッテリー形状が使用されているとき、装置は、単３形のサイズのバッテリー又は単４形のサイズのバッテリーによって動作することが可能である。標準的な円筒形状のバッテリーは、再充電可能なバッテリー又は再充電不可能なバッテリーであることが可能である。しかし、ある実施形態では、装置は、標準的な円筒形状の再充電可能なバッテリーは再充電しない。典型的な単３形バッテリーは、長さが４９．２〜５０．５ｍｍあり（ボタン端子を含む）、直径が１３．５〜１４．５ｍｍある。プラス端子ボタン接点は、高さが約１ｍｍであり、直径が約５．５であることが可能である。平坦なマイナス端子接点は、直径が約７ｍｍであることが可能である。使用され得る円筒形状のバッテリーの例としては、アルカリ単３形バッテリー、カーボン単３形バッテリー、再充電不可能なリチウム単３形バッテリー、再充電可能なニッケル水素単３形バッテリー、及び、再充電可能なニッケルカドミウム単３形バッテリーなどが挙げられる。装置の中で使用され得る単３形バッテリーの電圧は、１〜２Ｖ、好ましくは、１．１〜１．６Ｖであることが可能である。再充電可能なバッテリーパックが装置に電力を供給するために使用されるときに、再充電可能なバッテリーパックは、再充電可能なリチウムイオンバッテリー、リチウムポリマーバッテリー、又は、他の再充電可能なバッテリーを含むことが可能である。再充電可能なバッテリーによって提供される電圧は、２．５〜５Ｖ、好ましくは、３〜４Ｖであることが可能である。
【００３９】
再充電可能なバッテリーパックは、バッテリーコンパートメントの中に画定されているスペースの所望の寸法に応じて、いくつかの異なる形状を有することが可能である。再充電可能なバッテリーパックは、３８ｍｍ以下、４２ｍｍ以下、又は５０ｍｍ以下の全体的な幅を有することが可能である。再充電可能なバッテリーパックは、２５ｍｍ以上、２８ｍｍ以上、又は３５ｍｍ以上の全体的な幅を有することが可能である。再充電可能なバッテリーパックは、５５ｍｍ以下、５２ｍｍ以下、又は４６ｍｍ以下の全体的な長さを有することが可能である。再充電可能なバッテリーパックは、３５ｍｍ以上、４０ｍｍ以上、又は４５ｍｍ以上の全体的な長さを有することが可能である。再充電可能なバッテリーパックは、全体的な厚さ２０ｍｍ以下、１６ｍｍ以下、又は１４ｍｍ以下を有することが可能である。再充電可能なバッテリーパックは、８ｍｍ以上、１０ｍｍ以上、又は１５ｍｍ以上の全体的な厚さを有することが可能である。
【００４０】
本明細書及び添付の特許請求の範囲において使用される場合、単数形の「１つの（a）」、「１つの（an）」、及び「その（the）」は、その内容が明確に別段の定めをしていなければ、複数の指示対象を含むということが留意されるべきである。したがって、たとえば、「化合物（a compound）」を含有する組成物への言及は、２つ以上の化合物の混合物を含む。また、「又は」という用語は、その内容が明確に別段の定めをしていなければ、「及び／又は」を含む意味で概ね用いられるということも留意されるべきである。
【００４１】
また、本明細書及び添付の特許請求の範囲において使用される場合、「構成されている」という語句は、特定のタスクを実施するように又は特定の構成を採用するように構築又は構成されている、システム、装置、又は他の構造体を説明しているということも留意されるべきである。「構成されている」という語句は、配置されて構成されている、構築されて配置されている、構築されている、及び、製造されて配置されているなどのような、他の同様の語句と置き換え可能に使用され得る。
【００４２】
本明細書の中のすべての公開公報及び特許出願は、本開示が関連する当業者のレベルを示している。すべての公開公報及び特許出願は、それぞれの個々の公開公報又は特許出願が参照により具体的に及び個別に示されている場合と同じ程度に、参照により本明細書に組み込まれている。
【００４３】
本開示は、さまざまな特定の実施形態及び技法並びに好適な実施形態及び技法を参照して説明されてきた。しかし、本開示の趣旨及び範囲の中にある状態で、多くの変形及び修正を行うことが可能であるということが理解されるべきである。
【要約】
聴覚保護デバイスが提供される。聴覚保護デバイスは、会話などのようなサウンドを聴覚保護のユーザーに伝えるためのスピーカを含むことが可能である。聴覚保護デバイスは、再充電可能なバッテリーパックによって電力を供給されるか、又は、別途標準的なバッテリーによって電力を供給され得る。
【選択図】図１【図１】
0006313911.tif 000002
【図２】
0006313911.tif 000003
【図３】
0006313911.tif 000004
【図４】
0006313911.tif 000005
【図５】
0006313911.tif 000006
【図６】
0006313911.tif 000007
【図７】
0006313911.tif 000008
【図８】
0006313911.tif 000009
【図９ａ】
0006313911.tif 000010
【図９ｂ】
0006313911.tif 000011